(57)【特許請求の範囲】
【請求項１】
リール本体の支軸上に回転自在に設けたスプールと、前記リール本体に回転可能に支持され、前記スプールに対して制動力を付与する制動歯車とを有する魚釣用片軸受リールにおいて、
前記スプールに設けたスプール歯車に常時噛合する伝達歯車を有する揺動体を前記スプールに所定範囲で揺動可能に支持し、
前記リール本体に支持された制動歯車に、前記伝達歯車を、前記スプールが釣糸繰り出し方向に回転したときのみ噛合可能としたことを特徴とする魚釣用片軸受リール。
【請求項２】
前記リール本体に、右巻き用と左巻き用の係合部を設けると共に、前記揺動体に、スプール装着時にいずれかの係合部と係合して揺動体を揺動可能にする保持部を設けたことを特徴とする請求項１に記載の魚釣用片軸受リール。
【請求項３】
リール本体と、このリール本体に対して着脱可能でリール本体の支軸上に回転自在に設けられると共にリール本体側にスプール歯車を備えたスプールと、前記リール本体に回転可能に支持され、前記スプールに対して制動力を付与する制動歯車と、前記スプールに回転可能に支持され、前記スプール歯車に常時噛合する伝達歯車を支持した揺動体と、前記スプールをリール本体に装着した際、前記揺動体の揺動範囲を規制する規制手段とを有する魚釣用片軸受リールであって、
前記規制手段は、前記スプールが釣糸巻取り方向に回転した際、それと共に回転して前記伝達歯車を制動歯車から離間させる前記揺動体の揺動範囲を規制することを特徴とする魚釣用片軸受リール。
【請求項４】
前記規制手段は、前記揺動体に設けられた保持部と、前記リール本体に設けられ、前記保持部を所定の範囲内で移動可能となるように係合させる係合部とを有すること特徴とする請求項３に記載の魚釣用片軸受リール。
【請求項５】
前記スプールが釣糸巻取り方向、又は釣糸繰り出し方向に回転した際、いずれも前記伝達歯車を制動歯車から離間した状態を維持するように前記揺動体を保持する離間保持手段を設けたことを特徴とする請求項３又は４に記載の魚釣用片軸受リール。
【発明の詳細な説明】
【０００１】
【発明の属する技術分野】
本発明は、スプールが釣糸繰り出し方向に回転した際、それに制動力（ドラグ力）を付与可能にした魚釣用片軸受リールに関する。
【０００２】
【従来の技術】
通常、魚釣用片軸受リールは、釣竿に装着される脚部を有するリール本体と、このリール本体に対して片軸支持されたスプールとを備えた構成となっている。このスプールは、巻回される釣糸の両側を規制する対向した一対のフランジを備えており、スプールをリール本体に装着した場合、一方のフランジは、リール本体の内側面と対向した状態となり、他方のフランジは、外部に露出された状態となる。そして、この外部に露出する側のフランジには、その周縁部にハンドルツマミが装着されており、このハンドルツマミを回転操作することで、スプールを一体的に回転させ、放出されている釣糸を巻き取るようになっている。
【０００３】
ところで、上記したような構成の魚釣用片軸受リールにおいて、例えば、実用新案登録第２５３０２６３号（公知例１）や、特開２０００−３２８８６号（公知例２）に開示されているように、釣糸がスプールに巻回される巻取り方向のスプール回転時にドラグ力が作動せず、釣糸繰り出し方向の回転時に自動的にドラグ力が作用する一方向ドラグ機構が知られており、更には、このような構成に加えて、右巻き用と左巻き用に切換えることができるようにしたもの（左右切換一方向ドラグ機構）が知られている。
【０００４】
これらは、いずれもリール本体に、ドラグ力が作用するドラグギヤを備えた構成となっており、右巻き、左巻きに応じて、スプールが釣糸繰り出し方向に回転したときに、スプール歯車を制動歯車に噛合させるように構成されている。
【０００５】
すなわち、公知例１に開示されている片軸受リールは、リール本体の支軸に、右巻き用及び左巻き用の２個の連動歯車を有する揺動体を設けると共に、リール本体に揺動体の揺動範囲を規制する規制部材を係脱可能に設け、左右巻き方向を切換えるときは、揺動体の揺動位置を変更して、いずれかの連動歯車をドラグギヤに噛合させるように構成されている。
【０００６】
また、公知例２に開示されている片軸受リールは、リール本体の支軸に連動歯車を有する揺動体を設けており、左右巻き方向を切換えるときは、揺動体を支軸基部に対して軸方向に移動して、揺動範囲を左巻き用／右巻き用に切換えた後、再度、回動可能に抜け止め係止するように構成されている。
【０００７】
【発明が解決しようとする課題】
しかしながら、上記公知例１に開示された技術によれば、２個の連動歯車を使用しているため、高価であると共に、重量化するという問題が生じる。
【０００８】
これに対し、上記公知例２に開示された技術によれば、連動歯車を１個で構成しているため、上記の問題は解消されるものの、スプール歯車と、これに噛合する連動歯車との間のフリクション作用によって揺動体を揺動させる構成のため、フリクションによる回転伝達力が安定せずに、ドラグの作動不良が生じることがある。
【０００９】
また、いずれの公知例も、左巻き用や右巻き用に切換える場合、スプールをリール本体から取外した後、揺動体をリール本体の支軸基部から軸方向外方に分解移動させ、かつ揺動範囲を規制する切換え作業を行なわなければならず、切換え作業が煩雑で面倒であり、さらには、切換え作業時に連動歯車とスプール歯車の噛合状態を係脱させるために、歯面が損傷して回転性能を低下させるという問題がある。
【００１０】
本発明は、上記した問題点に基づいて成されたものであり、安定したドラグの作動が得られる一方向ドラグ機構を備えた魚釣用片軸受リールを提供することを目的とする。また、本発明は、そのような一方向ドラグ機構を備えた魚釣用片軸受リールにおいて、左巻き用と右巻き用の切換え作業を支障なく容易に行なえる構成を提供することを目的とする。
【００１１】
【課題を解決するための手段】
上記した課題を解決するために、本発明に係る魚釣用片軸受リールは、リール本体の支軸上に回転自在に設けたスプールと、前記リール本体に回転可能に支持され、前記スプールに対して制動力を付与する制動歯車とを有しており、前記スプールに設けたスプール歯車に常時噛合する伝達歯車を有する揺動体を前記スプールに所定範囲で揺動可能に支持し、前記リール本体に支持された制動歯車に、前記伝達歯車を、前記スプールが釣糸繰り出し方向に回転したときのみ噛合可能としたことを特徴とする。
【００１２】
また、上記した課題を解決するために、本発明に係る魚釣用片軸受リールは、リール本体と、このリール本体に対して着脱可能でリール本体の支軸上に回転自在に設けられると共にリール本体側にスプール歯車を備えたスプールと、前記リール本体に回転可能に支持され、前記スプールに対して制動力を付与する制動歯車と、前記スプールに回転可能に支持され、前記スプール歯車に常時噛合する伝達歯車を支持した揺動体と、前記スプールをリール本体に装着した際、前記揺動体の揺動範囲を規制する規制手段とを有しており、この規制手段は、前記スプールが釣糸巻取り方向に回転した際、それと共に回転して前記伝達歯車を制動歯車から離間させる前記揺動体の揺動範囲を規制することを特徴とする。
【００１３】
上記した構成のように、スプール側に、スプール歯車と常時噛合する伝達歯車を有する揺動体を設けており、スプールが釣糸巻取り方向、又は釣糸繰り出し方向に回転した際に、スプールと揺動体との間で生じるフリクションを利用して、伝達歯車とリール本体側に設けられている制動歯車との間で、噛合／離間を行なうようになっている。
【００１４】
【発明の実施の形態】
以下、本発明に係る魚釣用片軸受リールの一実施の形態を添付図面に沿って具体的に説明する。
【００１５】
図１は、魚釣用片軸受リールの中央断面図（竿先側から見た状態）であり、図２は、図１に示した魚釣用片軸受リールにおいて、リール本体とスプールを分解した状態を示す図である。
【００１６】
魚釣用片軸受リール１は、リール本体３と、このリール本体３に対して着脱可能に装着されるスプール３０によって構成されている。
【００１７】
リール本体３は、略円形状を成した側部５を備えており、この側部５には、釣竿に装着される脚部７が設けられた上方支柱５ａと、この上方支柱５ａと対向するように下方支柱５ｂが一体的に形成されている。この場合、下方支柱を保護するように、その表面に硬質材等による保護部材５ｃを取着しておくことが望ましい。
【００１８】
前記リール本体の側部５の中央には、支軸９が圧入等によって取り付けられており、ここにスプール３０の中心に形成された支持部３０ａが回転可能に支持されている。なお、スプール３０には、公知の着脱機構が設けられており、その支持部３０ａの一端面に配設された押圧ボタン３０ｂを押圧することによって、支軸９の係合部９ａとの係合関係が解除されて、スプール３０をリール本体３から取外すことができ、また、スプール３０の支持部３０ａを支軸９に嵌め込むことで、係合部９ａと係合して回転可能に支持される。
【００１９】
前記スプール３０は、釣糸が巻回される巻回胴部３１と、巻回胴部３１の両端に形成され、巻回される釣糸の両側を規制するフランジ３２ａ，３２ｂを備えている。この場合、フランジ３２ａ，３２ｂは、リール本体３の側部５と対応するように円板状に構成されており、スプール３０をリール本体３に装着した際、側部５の裏面と、フランジ３２ｂとが対面し、その間には所定の空間が形成されるようになっている。また、フランジ３２ａは、外部に露出した状態となり、その径方向外側には、ハンドルツマミ３５が回転可能に支持されて、これを握って回転操作することで、スプール３０は一体的にリール本体３に対して回転駆動される。
【００２０】
前記リール本体３の側部５と、スプール３０のフランジ３２ｂとの間の空間には、釣糸がスプール３０に巻回される巻取り方向のスプール回転時にドラグ力（制動力）が作動せず、釣糸繰り出し方向の回転時に自動的にドラグ力が作用し、更には、このような機能に加えて、スプールを右巻き用と左巻き用に切換えることを可能にした一方向ドラグ機構（左右切換一方向ドラグ機構）４０が配設されている。
【００２１】
以下、本実施の形態における一方向ドラグ機構の構成について説明する。
リール本体３の側部５には、スプール３０が釣糸放出方向に回転した際、それに対して制動力を付与するための制動装置が設けられている。この制動装置は、側部５に回転可能に支持された制動歯車１０を備えており、この制動歯車１０には、ライニング材１１を介在させて、制動歯車１０を側部５の裏面に向けて押圧する押圧部材１２が係合している。押圧部材１２には、側部５に対して回転可能に支持されたドラグノブ１５の軸部１５ａが螺合しており、ドラグノブ１５を回転操作することによって、押圧部材１２は、その螺合関係によって軸方向に移動され、制動歯車１０に対して所定の押圧力を付与するようになっている。すなわち、ドラグノブ１５を回転操作することで、押圧力が可変し、制動歯車１０に作用する回転負荷が調整されるようになっている。
【００２２】
一方、スプール３０側には、制動歯車１０に作用する制動力を伝達する伝達機構が設けられている。この伝達機構は、スプール３０の支持部３０ａに回転可能に支持された揺動体５０と、この揺動体５０に回転可能に支持され、前記制動歯車１０に噛合可能な伝達歯車５１を備えている。
【００２３】
揺動体５０は、リテーナ５２によってスプール３０の支持部３０ａに抜け止め保持されており、伝達歯車５１は、支持部３０ａのリール本体側端部に嵌合固定されたスプール歯車５５に、常時、噛合した状態にある。
【００２４】
前記揺動体５０の先端側には、保持部が形成されており、スプール３０をリール本体３に装着する際に、リール本体の所定位置に形成されている係合部と係合させることで、右巻き／左巻きを切換えることができ、かつそれに伴って一方向ドラグ機能を発揮させるようになっている。
【００２５】
具体的には、保持部は、リール本体側に向けて突出形成されたピン５７によって構成されており、係合部は、図３に示すように、前記リール本体３の側部５において、制動歯車１０の両サイドに貫通形成された円形の係合孔２０Ｒ，２０Ｌで構成されている。そして、スプール３０をリール本体３に装着する際、右巻き／左巻きに応じて、係合孔２０Ｒ，２０Ｌのいずれかに、ピン５７を係合させるようになっている。
【００２６】
この場合、各係合孔２０Ｒ，２０Ｌの径は、図４および図５（ａ），（ｂ）に示すように、ピン５７の径よりも大きく形成されており、ピン５７を係合孔に係合させた際、揺動体５０が所定範囲で揺動できるような遊度、具体的には、伝達歯車５１と制動歯車１０との噛合関係で以下のように設定されている。
【００２７】
上記したようにスプール３０が回転操作された際、それに伴って、支持部３０ａに抜け止め保持された揺動体５０も、両者の間の摩擦力によって回転しようとするが、揺動体５０に設けられたピン５７が、係合孔の壁部に当て付くことで揺動体の回転は規制される。この構成において、スプール３０が一方向（図４においては、時計回り方向）に回転された際、伝達歯車５１と制動歯車１０は完全に離間し、かつ反対方向（図４においては、反時計回り方向）に回転された際、伝達歯車５１と制動歯車１０が噛合関係となって、動力伝達状態となるように各構成部材を設定しておく。
【００２８】
次に、上記したような構成の魚釣用片軸受リールの作用について説明する。  魚釣用片軸受リールを右巻き用として使用するのであれば、図５（ａ）および（ｂ）に示すように、ピン５７を係合孔２０Ｒに位置合わせして、スプール３０をリール本体３に取り付ける。
【００２９】
スプール３０をリール本体３に取り付けた状態を示す図４において、矢印Ｄ１方向が竿先側であり、時計回り方向がスプールの釣糸巻取り方向である。この図に示すように、ハンドルツマミを摘んでスプール３０が巻取り駆動されると、それに伴って回転しようとする揺動体５０の時計回り方向の回転はピン５７と係合孔２０Ｒの係合によって規制され、かつ揺動体に支持されている伝達歯車５１は制動歯車１０から離間する。したがって、制動歯車１０に作用している制動力はスプール側に伝達されることはなく、ドラグフリーの状態となる。
【００３０】
これに対し、スプール３０が釣糸繰り出し方向に回転すると、図６に示すように、それに伴って回転しようとする揺動体５０の反時計回り方向の回転によって揺動体に支持されている伝達歯車５１は制動歯車１０に噛合する状態となる。したがって、制動歯車１０に作用する制動力が、伝達歯車５１を介してスプール歯車に伝達され、スプール３０には、制動歯車１０に設定されているドラグ力が作用することとなる。
【００３１】
また、魚釣用片軸受リールを左巻き用として使用するのであれば、図７に示すように、ピン５７を係合孔２０Ｌに係合させて、スプール３０をリール本体３に取り付ける。
【００３２】
この状態で、ハンドルノブを摘んでスプール３０が巻取り駆動（反時計回り方向への回転駆動）されると、それに伴って回転しようとする揺動体５０の反時計回り方向の回転はピン５７と係合孔２０Ｌの係合によって規制され、かつ揺動体に支持されている伝達歯車５１は制動歯車１０から離間する。したがって、制動歯車１０に作用する制動力はスプール側に伝達されることはなく、ドラグフリーの状態となる。
【００３３】
これに対し、スプール３０が釣糸繰り出し方向に回転すると、それに伴って回転しようとする揺動体５０の時計回り方向の回転によって揺動体に支持されている伝達歯車５１は制動歯車１０に噛合する状態となる。したがって、制動歯車１０に作用する制動力が、伝達歯車５１を介してスプール歯車に伝達され、スプール３０には、制動歯車１０に設定されているドラグ力が作用することとなる。
【００３４】
以上のように、リール本体３に対しスプール３０を、ピン５７と係合孔２０Ｒ，２０Ｌとの間で位置合わせして装着することで、右巻き用／左巻き用の切換えが可能となるので、その切換作業がきわめて容易に行なえるようになる。しかも一方向ドラグ機構の揺動体は分解移動する構成ではなく、スプール３０の着脱作業の際、スプール側のピンとリール本体側の係合孔との間の選択的な係合によって、右巻き／左巻きの駆動形態の切換えができるので、工具や分解作業を必要とせず、切換え作業を簡単かつ容易に行なえる。
【００３５】
また、スプール３０の支持部３０ａに、揺動体５０を支持する構成とし、スプールの回転に伴う摩擦によって揺動体を揺動させて伝達歯車５１を制動歯車１０に噛合／離間させるので、その噛合／離間が確実に成され、安定した回転伝達力が得られてドラグ性能が安定すると共に、スプールを巻取り駆動する際には、制動歯車１０から影響を受けることはない。しかも、揺動体５０は、所定の遊度をもって揺動するため、スプール３０のリール本体３に対する装着が容易に行なえ、かつ歯面を損傷させることがないので、長期に亘って良好な回転性能が維持される。
【００３６】
上記した構成において、スプール３０に回転可能に支持された揺動体５０の揺動範囲を規制する手段として、揺動体５０にピン５７を設け、リール本体の側部に係合孔２０Ｒ，２０Ｌを形成したが、このような構成において、更に、図に示すように、同一の円周に沿って、リール本体の側部に、同様な孔部（離間保持手段）２１を所定間隔毎に多数形成しておくことが望ましい。
【００３７】
このような構成によれば、スプール３０をリール本体３に装着する際、ピン５７をいずれかの孔部２１に係合させることで、右巻き／左巻き共に、釣糸繰り出し方向のスプール回転に対して、ドラグ力を全く作用させない状態（伝達歯車５１が制動歯車１０から常時離間した状態）に維持することができる。また、孔部２１を多数形成しておくことにより、外観の向上が図れると共に、軽量化を図ることが可能である。
【００３８】
また、スプール３０に回転可能に支持された揺動体５０の揺動範囲を規制する規制手段については、上記したピン５７と係合孔２０Ｒ，２０Ｌによる係合関係以外にも、例えば、凹部と凸部による係合関係にする等、種々変形することが可能である。さらに、揺動体５０の揺動可能な範囲についても、リール本体側に形成する係合部の構成や、配設位置等により、適宜変形することが可能である。
【００３９】
【発明の効果】
以上、本発明によれば、スプール側に、制動歯車と噛合可能な伝達歯車を有する揺動体を支持したため、安定したドラグの作動が得られる一方向ドラグ機構を備えた魚釣用片軸受リールが得られるようになる。
【００４０】
そして、そのような一方向ドラグ機構において、右巻き用と左巻き用の切換えが可能となるように構成すると、切換作業を支障なく容易に行なえることが可能になると共に、右巻き、左巻きのいずれも安定したドラグの作動が得られるようになる。
【図面の簡単な説明】
【図１】本発明に係る魚釣用片軸受リールの一実施形態を示す図であり、その中央断面図。
【図２】図１に示した魚釣用片軸受リールにおいて、リール本体とスプールを分解した状態を示す図。
【図３】図１に示した魚釣用片軸受リールの側面図。
【図４】図１に示した魚釣用片軸受リールを側面から見た図であり、リール本体の側部に形成された係合部とスプールに設けられた揺動体との関係を示す図。
【図５】図４のＡ−Ａ線に沿った断面図であり、（ａ）はスプールをリール本体から外した状態を示す図、（ｂ）はスプールをリール本体に装着した状態を示す図。
【図６】魚釣用片軸受リールを右巻き用に設定した際の作用を説明する図。
【図７】魚釣用片軸受リールを左巻き用に設定した際の作用を説明する図。
【符号の説明】
１  魚釣用片軸受リール
３  リール本体
１０  制動歯車
２０Ｒ，２０Ｌ  係合孔（係合部）
３０  スプール
５０  揺動体
５１  伝達歯車
５７  ピン（保持部）
【図１】
0003957976.tif 000002
【図２】
0003957976.tif 000003
【図３】
0003957976.tif 000004
【図４】
0003957976.tif 000005
【図５】
0003957976.tif 000006
【図６】
0003957976.tif 000007
【図７】
0003957976.tif 000008